【手続補正書】
【提出日】平成18年11月8日(2006.11.8)
【手続補正１】
【補正対象書類名】明細書
【補正対象項目名】特許請求の範囲
【補正方法】変更
【補正の内容】
【特許請求の範囲】
【請求項１】
組織を除去する手段と、眼の露出されている角膜間質に老眼矯正を行うための制御手段と、を含む角膜間質組織除去装置を備え、
前記組織を除去する手段はレーザ装置を含み、
前記制御手段は老眼矯正指令手段を含み、この老眼矯正指令手段は前記レーザ装置による１．４ないし１．８ｍｍの中央の除去されない直径を有する角膜間質における除去領域の形成を指令するものである、
老眼矯正装置。
【請求項２】
請求項１記載の老眼矯正装置において、前記指令手段は直径が２．４〜３．２ｍｍの最大除去深さ周縁部を有する除去領域を前記レーザ装置により形成することを指令する手段を含んでいる老眼矯正装置。
【請求項３】
請求項２記載の老眼矯正装置において、前記指令手段は３４ないし４２ミクロンの最大除去深さを形成する手段を含んでいる老眼矯正装置。
【請求項４】
請求項３記載の老眼矯正装置において、除去を指令する前記手段は除去される治療領域の外周を７．０ないし７．８ｍｍに制限する手段を含んでいる老眼矯正装置。
【請求項５】
請求項１記載の老眼矯正装置において、前記制御手段は、次式、
Ｇ（Ｘ）＝Ｆ（Ｘ）＋Ｆ（Ｘ）×（ｋ３／１０＋係数／ｋ３）
×ｔａｎ−１（係数−１）
により表される輪郭を利用する、角膜間質内の環状除去領域の形成のための指令手段を含んでいる老眼矯正装置。
【請求項６】
請求項１記載の老眼矯正装置において、前記指令手段は、レーザ源と治療される角膜間質との間に配置されている老眼矯正モジュールを含んでいる老眼矯正装置。
【請求項７】
請求項６記載の老眼矯正装置において、前記矯正モジュールは削り取ることができるマスクを含んでいる老眼矯正装置。
【請求項８】
請求項６記載の老眼矯正装置において、前記矯正モジュールはレーザビームの形状または経路を変更する変更手段を含んでいる老眼矯正装置。
【請求項９】
請求項８記載の老眼矯正装置において、前記変更手段はマスク移動組立体を含んでいる老眼矯正装置。
【請求項１０】
請求項８記載の老眼矯正装置において、前記変更手段はレーザビームを遮断されないやり方で角膜間質へ向ける反射鏡を有する反射鏡組立体を含んでいる老眼矯正装置。
【請求項１１】
請求項７記載の老眼矯正装置において、前記指令手段はレーザ一位置制御装置のソフトウエア部品またはハードウェア部品を含んでいる老眼矯正装置。
【請求項１２】
請求項１１記載の老眼矯正装置において、ソフトウエア部品またはハードウェア部品は、レーザビーム配置装置が使用するための輪郭表現を形成する輪郭形成手段を有する老眼矯正装置。
【請求項１３】
請求項１２記載の老眼矯正装置において、輪郭形成手段は入力データを受ける受け手段を含み、入力データは個々の患者の眼測定データを含む老眼矯正装置。
【請求項１４】
請求項１２記載の老眼矯正装置において、輪郭形成手段は入力データを受ける受け手段を含み、入力データは輪郭値パラメータを含む老眼矯正装置。
【請求項１５】
請求項１４記載の老眼矯正装置において、受け手段は、輪郭形成手段により使用される値に対応する複数の値範囲からの選択を含む入力データを受けるように構成されている老眼矯正装置。
【請求項１６】
請求項１４記載の老眼矯正装置において、受け手段は次の範囲、
ａ）．除去されないままにするための角膜間質の最も中央の直径値１．４〜１．８ｍｍ、
ｂ）．最大除去深さリングの外径２．４〜３．２ｍｍ、
ｃ）．角膜間質の全除去治療領域の外径７．０〜７．８ｍｍ、
ｄ）．最大除去深さリングにおける最大除去深さ３４ないし４２ミクロン、
の１つまたは複数から入力値を受けるために設計されている老眼矯正装置。
【請求項１７】
請求項１６記載の老眼矯正装置において、前記受け手段は上記ａ〜ｄのうちの少なくとも３つを指示された値を受けるために設計されている老眼矯正装置。
【請求項１８】
請求項１記載の老眼矯正装置において、前記指令手段は、次のパラメータａ〜ｄ、
ａ）．除去されないままにするための角膜間質の最も中央の直径値１．４〜１．８ｍｍ、
ｂ）．最大除去深さリングの外径２．４〜３．２ｍｍ、
ｃ）．角膜間質の全除去治療領域の外径７．０〜７．８ｍｍ、
ｄ）．最大除去深さリングにおける最大除去深さ３４ないし４２ミクロン、
を持つ除去レベル輪郭を基にして除去領域形成を指令する老眼矯正装置。
【請求項１９】
請求項１８記載の老眼矯正装置において、上のパラメータａ〜ｃの少なくとも１つは、瞳孔の中心点の１単位上および１単位鼻側である中心基準点を基にしており、各単位は瞳孔により形成されている円の直径の３分の１により表されている老眼矯正装置。
【請求項２０】
請求項１記載の老眼矯正装置において、前記指令手段は中央の除去されていない領域から外側へ延長し、最大除去点に導く内部傾斜部と、最大除去点まで外部へ延長しているより急でない外側傾斜部とを有する非球面除去輪郭部を基にして角膜間質に指令する老眼矯正装置。
【請求項２１】
請求項２０記載の老眼矯正装置において、前記内部傾斜部と前記外部傾斜部とは湾曲した勾配輪郭を有する老眼矯正装置。
【請求項２２】
レーザ装置を備えた老眼矯正装置であって、前記レーザ装置はソフトウエア・パッケージまたはハードウェア・パッケージを備え、前記ソフトウエア・パッケージまたはハードウェア・パッケージは格納されたデータと指令手段とを備え、前記指令手段は、パラメータａ−ｂに従って、前記レーザ装置に所定の除去角膜間質輪郭の形成を指令し、前記パラメータａ−ｂは、
ａ）．除去されないままにするための角膜間質の最も中央の直径値１．４〜１．８ｍｍ、
ｂ）．最大除去深さリングの外径２．４〜３．２ｍｍ、
である、老眼矯正装置。
【請求項２３】
請求項２２記載の老眼矯正装置において、前記指令手段は、次の式、
Ｇ（Ｘ）＝Ｆ（Ｘ）＋Ｆ（Ｘ）×（ｋ３／１０＋係数／ｋ３）
×ｔａｎ−１（係数−１）
で少なくとも部分的に表されている除去輪郭を決定する老眼ソフトウエア・パッケージまたはハードウェア・パッケージ。
【請求項２４】
レーザ装置に請求項２１記載の老眼矯正ソフトウエア・パッケージまたはハードウェア・パッケージ。モジュールを組み込むんでなる老眼矯正指令手段を提供する方法。
【請求項２５】
請求項２２記載の老眼矯正装置において、前記指令手段は追加パラメータｃ）とｄ）、
ｃ）．角膜間質の全除去治療領域の外径７．０〜７．８ｍｍ、
ｄ）．最大除去深さリングにおける最大除去深さ３４ないし４２ミクロン式、
のうちの１つを有する除去輪郭を基にしている老眼矯正装置。
【請求項２６】
請求項２５記載の老眼矯正装置において、形成を指令する前記指令手段はａ）ないしｄ）のおのおのにより表されているパラメータを含んでいる老眼矯正装置
【請求項２７】
請求項２２記載の老眼矯正装置であって、前記ソフトウエアパッケージまたはハードウェアパッケージはプロセッサが読取ることができる媒体に保存されているソフトウエアである、老眼矯正装置。
【請求項２８】
レーザのフライング・スポット角膜除去パルスを指令する方法であって、その指令は、前記レーザ装置におけるエネルギー供給位置情報の生成によって行われ、前記レーザ装置は、除去輪郭に基づいて、角膜間質における除去輪郭を生成するように構成されており、その除去輪郭は最大除去領域内を延長している非球面除去輪郭部を持っており、その非球面除去輪郭部は前記除去輪郭のパラメータを有し、そのパラメータはパラメータａ−ｂから選択された少なくとも１つの構成部を有し、そのパラメータａ−ｄは、
ａ）．除去されないままにするための角膜間質の最も中央の領域の直径値１．４〜１．８ｍｍ、
ｂ）．最大除去深さリングの外径２．４〜３．２ｍｍ、
ｃ）．角膜間質の全除去治療領域の外径７．０〜７．８ｍｍ、
ｄ）．最大除去深さリングにおける最大除去深さ３４ないし４２ミクロン、
である、
方法。
【請求項２９】
請求項２８記載の方法であって、前記方法は、フライング・スポットレーザパルスを指令して環状除去輪郭を生成することを含み、前記状除去輪郭は、上記パラメータａ）ないしｄ）のうちの２つまたはそれ以上を持つ除去輪郭の横断面輪郭を有する、方法。
【請求項３０】
請求項２８記載の方法であって、フライング・スポットレーザパルスを指令して除去輪郭を形成することは、パラメータａ）〜ｄ）の全てを用いることを含んでいる方法。
【請求項３１】
請求項２８記載の方法であって、フライング・スポットレーザパルスを指令して除去輪郭を形成することは、次の除去領域輪郭表現、
Ｇ（Ｘ）＝Ｆ（Ｘ）＋Ｆ（Ｘ）×（ｋ３／１０＋係数／ｋ３）                ×ｔａｎ−１（係数−１）
に依存することを含んでいる、方法。
【請求項３２】
組織を除去する手段と、眼の露出されている角膜間質に老眼矯正を行うための制御手段とを含む角膜間質組織除去装置を備え、前記組織除去手段はレーザ装置を含み、前記制御手段は、式、
Ｇ（Ｘ）＝Ｆ（Ｘ）＋Ｆ（Ｘ）×（ｋ３／１０＋係数／ｋ３）
×ｔａｎ−１（係数−１）
で表されている輪郭を利用する、角膜間質内に環状除去領域を形成する指令手段を含む老眼矯正装置。
【請求項３３】
レーザ装置に指令する方法であって、そのレーザ装置は、前記レーザ装置のレーザの印加エネルギーレベルを操作して、角膜間質に適用するのに適した除去輪郭を形成することを含み、前記除去輪郭は、以下の群から選択された構成部であるパラメータを有する輪郭横断面を有し、前記群は、
角膜間質内に、
ａ）．除去されないままにするための角膜間質の最も中央の領域の直径値１．４〜１．８ｍｍ、
ｂ）．最大除去深さリングの外径２．４〜３．２ｍｍ、
ｃ）．角膜間質の全除去治療領域の外径７．０〜７．８ｍｍ、
ｄ）．最大除去深さリングにおける最大除去深さ３４ないし４２ミクロン、
ｅ）．それの組合わせ、
である、
方法。
【請求項３４】
目レーザ装置と、前記目レーザ装置内で使用される老眼矯正部品と、含む老眼矯正装置であって、
前記老眼矯正部品は、データ保存手段と、除去輪郭の形成を指令するデータ指令手段と、を備え、
前記除去輪郭は、パラメータａ−ｄに従って、目の老眼を矯正するのに適したものであり、
前記パラメータａ−ｄは、
ａ）．除去されないままにするための角膜間質の最も中央の領域の直径値１．４〜１．８ｍｍ、
ｂ）．最大除去深さリングの外径２．４〜３．２ｍｍ、
ｃ）．角膜間質の全除去治療領域の外径７．０〜７．８ｍｍ、
ｄ）．最大除去深さリングにおける最大除去深さ３４ないし４２ミクロン、
であり、
前記指令手段は次の式
Ｇ（Ｘ）＝Ｆ（Ｘ）＋Ｆ（Ｘ）×（ｋ３／１０＋係数／ｋ３）                ×ｔａｎ−１（係数−１）
を少なくとも部分的に基にして除去輪郭に指令する、
老眼矯正装置。
【請求項３５】
目レーザ装置と、前記目レーザ装置内で使用される老眼矯正モジュールと、含む老眼矯正装置であって、
前記老眼矯正モジュールは、
レーザビームを受ける手段と、
受けたレーザビームを修正し、パラメータａ−ｄに従って所定の輪郭の角膜間質除去の形成を指令する、手段と、
を備え、
前記パラメータａ−ｄは、
ａ）．除去されないままにするための角膜間質の最も中央の領域の直径値１．４〜１．８ｍｍ、
ｂ）．最大除去深さリングの外径２．４〜３．２ｍｍ、
ｃ）．角膜間質の全除去治療領域の外径７．０〜７．８ｍｍ、
ｄ）．最大除去深さリングにおける最大除去深さ３４ないし４２ミクロン
であり、
前記所定の輪郭は次の式
Ｇ（Ｘ）＝Ｆ（Ｘ）＋Ｆ（Ｘ）×（ｋ３／１０＋係数／ｋ３）
×ｔａｎ−１（係数−１）
により少なくとも部分的に表される、  
老眼矯正装置。
【請求項３６】
組織を除去する手段と、眼の露出されている角膜間質に老眼矯正を行うための制御手段と、を含む角膜間質組織除去装置を備え、前記制御手段は次のパラメータａ〜ｄ、
ａ）．除去されないままにするための角膜間質の最も中央の領域の直径値１．４〜１．８ｍｍ、
ｂ）．最大除去深さリングの外径２．４〜３．２ｍｍ、
ｃ）．角膜間質の全除去治療領域の外径７．０〜７．８ｍｍ、
ｄ）．最大除去深さリングにおける最大除去深さ３４ないし４２ミクロン式、
のうちの少なくとも２つを有する除去輪郭を基にして前記角膜間質内に所定の除去領域を形成する指令手段を含む、老眼矯正装置。
【請求項３７】
請求項３６記載の老眼矯正装置において、前記指令手段はソフトウエア・コンポーネントまたはハードウェア・コンポーネントを含んでいる老眼矯正装置。
【請求項３８】
請求項３６記載の老眼矯正装置において、指令手段は非球面最大除去域形成を有する付加パラメータを備え、前記除去域輪郭は、最大除去の点に収束する、内側へ傾斜した除去輪郭部と外側へ傾斜した除去輪郭部とを有する、老眼矯正装置。
【請求項３９】
請求項３８記載の老眼矯正装置において、前記内側へ傾斜した除去輪郭部は前記外側へ傾斜した除去輪郭部の勾配より急な勾配を持つ老眼矯正装置。
【請求項４０】
請求項３９記載の老眼矯正装置において、前記内側へ傾斜した除去輪郭部は凸部を含み、前記外側へ傾斜した除去輪郭部は凹形であって、前記内部除去輪郭部より長さが長い老眼矯正装置。
【請求項４１】
角膜間質組織を除去する手段と、眼の露出されている角膜間質に老眼矯正を行うための制御手段と、を含む角膜間質組織除去装置を備え、前記組織除去手段はレーザ装置を含み、前記制御手段は除去領域を前記レーザ装置により形成することを指令する指令手段を含み、前記除去領域は、眼の瞳孔の光軸に関して中心がずれている中央参照点を有する除去避け中央領域を含む除去輪郭を基にしており、中央参照点は眼の瞳孔の鼻‐上象限内にある老眼矯正装置。
【請求項４２】
請求項４１記載の老眼矯正装置において、前記中央参照点は瞳孔の１単位上で、１単位鼻であり、各単位は瞳孔により定められる円の半径の３分の１により表される老眼矯正装置。
【請求項４３】
請求項４２記載の老眼矯正装置において、形成を指令する前記手段は、非球面側壁を有する除去リングを、内側に傾斜していて、前記中心領域から外側へ延長している除去輪郭を基にして形成する手段を含み、中央領域の直径は１．４ｍｍないし１．８ｍｍで、前記中央参照点に対応する中心点を有する老眼矯正装置。
【請求項４４】
請求項４３記載の老眼矯正装置において、前記傾斜領域は相互に相手の方へ向かって延長して、直径が２．４〜３．２ｍｍで、前記中央参照点に対応する中心点を有し、かつ３４ないし４２ミクロンの最大除去深さを有する老眼矯正装置。
【請求項４５】
レーザ装置を含んでいる角膜間質組織除去装置と、
予め露出されている角膜間質への前記レーザ装置によるエネルギー供給を制御する制御手段と、
を備え、前記制御手段は、直径が１．３ｍｍまたはそれ以上で、中心領域の周縁部から延長している最大除去深さ領域を含んでいる除去輪郭を基にして間質内に角膜間質除去パターンを定める指令手段を含み、前記最大除去深さ領域は、輪郭の最大除去点まで下向きに延長している第１の傾斜輪郭部を含み、前記輪郭は最大除去点から上へ向かって延長している第２の傾斜輪郭部を有し、前記第１の傾斜は前記第２の傾斜よりも急で、長さは短い、老眼矯正装置。
【請求項４６】
請求項４５記載の老眼矯正装置において、前記第２の傾斜部は、最大偏向点から上側周縁端部まで延長する際の形が凸形輪郭である老眼矯正装置。
【請求項４７】
請求項４５記載の老眼矯正装置において、前記中央領域は、瞳孔の鼻‐上象限内の眼の瞳孔の中心光軸からずれるように中心を置かれている老眼矯正装置。
【請求項４８】
請求項４５記載の老眼矯正装置において、前記指令手段は３８〜４２ミクロンの最大除去深さを前記レーザ装置により形成することを更に指令する老眼矯正装置。
【請求項４９】
請求項４７記載の老眼矯正装置において、前記中央領域は中央参照点を有し、前記中央参照点は、１単位鼻で、瞳孔の中心点へ１単位上であり、各単位は瞳孔により定められている円の半径の３分の１により表されている老眼矯正装置。